【手続補正書】
【提出日】平成21年5月7日(2009.5.7)
【手続補正１】
【補正対象書類名】特許請求の範囲
【補正対象項目名】全文
【補正方法】変更
【補正の内容】
【特許請求の範囲】
【請求項１】
所定のネットワーク経由で１つ以上の端末装置と接続され、前記端末装置からの指示に基づいて自装置特有のハードウェアを動作させるネットワーク装置であって、
前記１つ以上の端末装置との間で同一のプロトコルを用いて通信するインターフェース手段と、
自装置特有のハードウェアである原稿読み取り手段と
を有し、
前記インターフェース手段は、
前記１つ以上の端末装置上で実行されている複数種類のソフトウェアから画像の読み取り条件のパラメータを取得する指示を受信し、その指示に基づいて前記画像の読み取り条件のパラメータを取得して、前記指示に対する結果通知を行う手段と、
前記１つ以上の端末装置上で実行されている複数種類のソフトウェアから前記原稿読み取り手段の状態を取得する指示を受信し、その指示に基づいて前記原稿読み取り手段の状態を取得して、前記指示に対する結果通知を行う手段と、
前記１つ以上の端末装置上で実行されている複数種類のソフトウェアから前記原稿読み取り手段を動作させる指示を受信し、その指示に基づいて前記原稿読み取り手段を動作させ、原稿を読み取り、前記動作の結果通知を前記１つ以上の端末装置上で実行されている複数種類のソフトウェアに応じたデータ形式で行う手段と
を有することを特徴とするネットワーク装置。
【請求項２】
前記インターフェース手段は、前記１つ以上の端末装置との間でハイパーテキスト転送プロトコルを使ったＲＥＳＴ（Ｒｅｐｒｅｓｅｎｔａｔｉｏｎａｌ  Ｓｔａｔｅ  Ｔｒａｎｓｆｅｒ）アーキテクチャを用いて通信し、前記１つ以上の端末装置上で実行されているＷｅｂブラウザ又はＴＷＡＩＮ（Ｔｏｏｌ  Ｗｉｔｈｏｕｔ  Ａｎ  Ｉｎｔｅｒｅｓｔｉｎｇ  Ｎａｍｅ）ドライバから前記原稿読み取り手段を動作させる指示を受信することを特徴とする請求項１記載のネットワーク装置。
【請求項３】
前記インターフェース手段は、前記原稿読み取り手段の状態が、前記原稿読み取りを実行できない状態であるとき、前記１つ以上の端末装置上で実行されている複数種類のソフトウェアに応じたデータ形式でエラー通知を行い、
前記ソフトウェアがＷｅｂブラウザであるとき、ＨＴＭＬ（ＨｙｐｅｒＴｅｘｔ  Ｍａｒｋｕｐ  Ｌａｎｇｕａｇｅ）形式でエラー通知を行い、前記ソフトウェアがＴＷＡＩＮドライバであるとき、ＸＭＬ（Ｅｘｔｅｎｓｉｂｌｅ  Ｍａｒｋｕｐ  Ｌａｎｇｕａｇｅ）形式でエラー通知を行うことを特徴とする請求項１記載のネットワーク装置。
【請求項４】
前記インターフェース手段は、前記原稿読み取り手段を動作させるとき、組み合わせて指示することのできない前記画像の読み取り条件のパラメータが組み合わせて指示されると、前記１つ以上の端末装置上で実行されている複数種類のソフトウェアに応じたデータ形式でエラー通知を行い、
前記ソフトウェアがＷｅｂブラウザであるとき、ＨＴＭＬ（ＨｙｐｅｒＴｅｘｔ  Ｍａｒｋｕｐ  Ｌａｎｇｕａｇｅ）形式でエラー通知を行い、前記ソフトウェアがＴＷＡＩＮドライバであるとき、ＸＭＬ（Ｅｘｔｅｎｓｉｂｌｅ  Ｍａｒｋｕｐ  Ｌａｎｇｕａｇｅ）形式でエラー通知を行うことを特徴とする請求項１記載のネットワーク装置。
【請求項５】
所定のネットワーク経由でネットワーク装置と接続され、前記ネットワーク装置への指示に基づいて前記ネットワーク装置特有のハードウェアをリモートで動作させる端末装置であって、
前記ネットワーク装置と同一のプロトコルを用いて通信し、前記ネットワーク装置特有のハードウェアである原稿読み取り手段をリモートで動作させる指示を行うデバイスドライバを有し、
前記デバイスドライバは、
前記端末装置上で実行している複数種類のソフトウェアによる画像の読み取り条件のパラメータを取得する指示を前記ネットワーク装置に送信し、その指示に基づいた前記画像の読み取り条件のパラメータを、前記指示に対する結果通知として前記ネットワーク装置から受信する手段と、
前記端末装置上で実行している複数種類のソフトウェアによる前記原稿読み取り手段の状態を取得する指示を前記ネットワーク装置に送信し、その指示に基づいた前記原稿読み取り手段の状態を、前記指示に対する結果通知として前記ネットワーク装置から受信する手段と、
前記端末装置上で実行している複数種類のソフトウェアによる前記原稿読み取り手段を動作させる指示を前記ネットワーク装置に送信し、その指示に基づいた前記原稿読み取り手段を動作させ、前記動作の結果通知を前記端末装置上で実行している複数種類のソフトウェアに応じたデータ形式で前記ネットワーク装置から受信する手段と
を有すること
を特徴とする端末装置。
【請求項６】
所定のネットワーク経由で１つ以上の端末装置と接続され、前記端末装置からの指示に基づいて自装置特有のハードウェアである原稿読み取り手段を動作させる、記憶装置及び演算処理装置を有するネットワーク装置を、
前記１つ以上の端末装置との間で同一のプロトコルを用いて通信するインターフェース手段として前記演算処理装置を機能させ、
前記インターフェース手段は、
前記１つ以上の端末装置上で実行されている複数種類のソフトウェアから画像の読み取り条件のパラメータを取得する指示を受信し、その指示に基づいて前記画像の読み取り条件のパラメータを取得して、前記指示に対する結果通知を行う手段と、
前記１つ以上の端末装置上で実行されている複数種類のソフトウェアから前記原稿読み取り手段の状態を取得する指示を受信し、その指示に基づいて前記原稿読み取り手段の状態を取得して、前記指示に対する結果通知を行う手段と、
前記１つ以上の端末装置上で実行されている複数種類のソフトウェアから前記原稿読み取り手段を動作させる指示を受信し、その指示に基づいて前記原稿読み取り手段を動作させ、原稿を読み取り、前記動作の結果通知を前記１つ以上の端末装置上で実行されている複数種類のソフトウェアに応じたデータ形式で行う手段と
を有することを特徴とするプログラム。
【請求項７】
所定のネットワーク経由で１つ以上の端末装置と接続され、前記端末装置からの指示に基づいて自装置特有のハードウェアである原稿読み取り手段を動作させる、記憶装置及び演算処理装置を有するネットワーク装置を、
前記１つ以上の端末装置との間で同一のプロトコルを用いて通信するインターフェース手段として前記演算処理装置を機能させ、
前記インターフェース手段は、
前記１つ以上の端末装置上で実行されている複数種類のソフトウェアから画像の読み取り条件のパラメータを取得する指示を受信し、その指示に基づいて前記画像の読み取り条件のパラメータを取得して、前記指示に対する結果通知を行う手段と、
前記１つ以上の端末装置上で実行されている複数種類のソフトウェアから前記原稿読み取り手段の状態を取得する指示を受信し、その指示に基づいて前記原稿読み取り手段の状態を取得して、前記指示に対する結果通知を行う手段と、
前記１つ以上の端末装置上で実行されている複数種類のソフトウェアから前記原稿読み取り手段を動作させる指示を受信し、その指示に基づいて前記原稿読み取り手段を動作させ、原稿を読み取り、前記動作の結果通知を前記１つ以上の端末装置上で実行されている複数種類のソフトウェアに応じたデータ形式で行う手段と
を有することを特徴とするプログラムを記録したコンピュータ読み取り可能な記録媒体。
【手続補正２】
【補正対象書類名】明細書
【補正対象項目名】０００７
【補正方法】変更
【補正の内容】
【０００７】
上記課題を解決するため、本発明は、所定のネットワーク経由で１つ以上の端末装置と接続され、前記端末装置からの指示に基づいて自装置特有のハードウェアを動作させるネットワーク装置であって、前記１つ以上の端末装置との間で同一のプロトコルを用いて通信するインターフェース手段と、自装置特有のハードウェアである原稿読み取り手段とを有し、前記インターフェース手段は、前記１つ以上の端末装置上で実行されている複数種類のソフトウェアから画像の読み取り条件のパラメータを取得する指示を受信し、その指示に基づいて前記画像の読み取り条件のパラメータを取得して、前記指示に対する結果通知を行う手段と、前記１つ以上の端末装置上で実行されている複数種類のソフトウェアから前記原稿読み取り手段の状態を取得する指示を受信し、その指示に基づいて前記原稿読み取り手段の状態を取得して、前記指示に対する結果通知を行う手段と、前記１つ以上の端末装置上で実行されている複数種類のソフトウェアから前記原稿読み取り手段を動作させる指示を受信し、その指示に基づいて前記原稿読み取り手段を動作させ、原稿を読み取り、前記動作の結果通知を前記１つ以上の端末装置上で実行されている複数種類のソフトウェアに応じたデータ形式で行う手段とを有することを特徴とする。